(57)【特許請求の範囲】
【請求項１】
圧縮機と、第１熱交換器と、膨張機構と、第２熱交換器とが順次配管により接続され、冷媒が循環する環状の冷媒回路であって、前記冷媒が前記圧縮機、前記第１熱交換器、前記膨張機構、前記第２熱交換器の順に循環する第１循環方向と、前記冷媒が前記圧縮機、前記第２熱交換器、前記膨張機構、前記第１熱交換器の順に循環する第２循環方向とに前記冷媒の循環方向を切り替える切替機構が設けられた冷媒回路と、
ヒータと、放熱器と、前記冷媒回路に接続された前記第１熱交換器とが順次配管により接続され、所定の流体が循環する環状の流体回路と、
前記第１循環方向に冷媒を循環させて、前記冷媒と前記流体回路を循環する前記流体とを前記第１熱交換器において熱交換させて前記流体を加熱する加熱運転と、前記第２循環方向に冷媒を循環させて、前記第２熱交換器に付着した霜を取り除く除霜運転とを、前記切替機構を制御することにより切り替えて実行する運転制御部と、
前記ヒータへ流入する前記流体の温度であるヒータ流入温度を計測するヒータ流入温度計測部と、
前記ヒータから流出する前記流体の温度であるヒータ流出温度を計測するヒータ流出温度計測部と、
前記ヒータ流入温度計測部が計測したヒータ流入温度と、前記ヒータ流出温度計測部が計測したヒータ流出温度と、前記ヒータに投入した電力量とから、前記流体回路を循環する流体の流量を計測する流量計測部と、
前記運転制御部が除霜運転を実行する際、前記流量計測部が計測した流量が予め設定された流量閾値より少ない場合には、前記ヒータを運転させて前記流体を加熱するヒータ制御部と
を備えることを特徴とするヒートポンプシステム。
【請求項２】
前記ヒータ制御部は、前記運転制御部が除霜運転を実行する際、前記流量が前記流量閾値より少ない場合には、前記ヒータを運転させる
ことを特徴とする請求項１に記載のヒートポンプシステム。
【請求項３】
前記ヒータ制御部は、前記運転制御部が除霜運転を実行する際、前記流量が前記流量閾値以上の場合には、前記ヒータを停止させる
ことを特徴とする請求項２に記載のヒートポンプシステム。
【請求項４】
前記ヒートポンプシステムは、さらに、
前記第１熱交換器へ流入する前記流体の温度である熱交換器流入温度を計測する熱交換器流入温度計測部
を備え、
前記ヒータ制御部は、前記運転制御部が除霜運転を実行する際、前記流量が前記流量閾値より少なく、かつ、前記熱交換器流入温度計測部が計測した熱交換器流入温度が予め設定された温度閾値よりも低い場合には、前記ヒータを運転させる
ことを特徴とする請求項１に記載のヒートポンプシステム。
【請求項５】
圧縮機と、第１熱交換器と、膨張機構と、第２熱交換器とが順次配管により接続され、冷媒が循環する冷媒回路であって、前記冷媒が前記圧縮機、前記第１熱交換器、前記膨張機構、前記第２熱交換器の順に循環する第１循環方向と、前記冷媒が前記圧縮機、前記第２熱交換器、前記膨張機構、前記第１熱交換器の順に循環する第２循環方向とに前記冷媒の循環方向を切り替える切替機構が設けられた冷媒回路と、
前記冷媒回路に接続された前記第１熱交換器と、ヒータと、放熱器とが順次配管により接続され、所定の流体が循環する流体回路と
を備えるヒートポンプシステムの制御方法であり、
前記第１循環方向に冷媒を循環させて、前記冷媒と前記流体回路を循環する前記流体とを前記第１熱交換器において熱交換させて前記流体を加熱する加熱運転と、前記第２循環方向に冷媒を循環させて、前記第２熱交換器に付着した霜を取り除く除霜運転とを、前記切替機構を制御することにより切り替えて実行する運転制御工程と、
前記流体回路を循環する流体の流量を計測する流量計測工程と、
前記運転制御工程で除霜運転を実行する際、前記流量計測工程で計測した流量が予め設定された流量閾値より少ない場合には、前記ヒータを運転させて前記流体を加熱するヒータ制御工程と
を備えることを特徴とするヒートポンプシステムの制御方法。
【発明の詳細な説明】
【技術分野】
【０００１】
この発明は、冷媒と水等の流体とを熱交換させる熱交換器の凍結防止技術に関する。
【背景技術】
【０００２】
ヒートポンプユニットで高温の冷媒と水とを熱交換させて温水を生成し、生成した温水をパネルヒータ等へ供給することにより、暖房運転を行うヒートポンプ式の暖房システムがある。
この暖房システムでは、暖房運転を行うと、外気と冷媒とを熱交換させる熱交換器へ低温の冷媒が供給されるため、外気と冷媒とを熱交換させる熱交換器に霜が付着することがある。熱交換器に霜が付着した場合、付着した霜を取り除く除霜運転が実行される。除霜運転では、一般的に、冷媒の循環方向を暖房運転時とは逆にして、外気と冷媒とを熱交換させる熱交換器へ高温の冷媒を供給する。
【先行技術文献】
【特許文献】
【０００３】
【特許文献１】特開２０１０−３８４４５号公報
【発明の概要】
【発明が解決しようとする課題】
【０００４】
除霜運転を行うと、冷媒と水とを熱交換させる熱交換器へ低温の冷媒が供給されるため、冷媒と水とを熱交換させる熱交換器内で水が凍結することがある。熱交換器内で水が凍結すると、凍結による水の体積膨張により熱交換器が破損することがある。
この発明は、除霜運転時に、冷媒と水とを熱交換させる熱交換器内における水の凍結を防止することを目的とする。
【課題を解決するための手段】
【０００５】
この発明に係るヒートポンプシステムは、
圧縮機と、第１熱交換器と、膨張機構と、第２熱交換器とが順次配管により接続され、冷媒が循環する環状の冷媒回路であって、前記冷媒が前記圧縮機、前記第１熱交換器、前記膨張機構、前記第２熱交換器の順に循環する第１循環方向と、前記冷媒が前記圧縮機、前記第２熱交換器、前記膨張機構、前記第１熱交換器の順に循環する第２循環方向とに前記冷媒の循環方向を切り替える切替機構が設けられた冷媒回路と、
ヒータと、放熱器と、前記冷媒回路に接続された前記第１熱交換器とが順次配管により接続され、所定の流体が循環する環状の流体回路と、
前記第１循環方向に冷媒を循環させて、前記冷媒と前記流体回路を循環する前記流体とを前記第１熱交換器において熱交換させて前記流体を加熱する加熱運転と、前記第２循環方向に冷媒を循環させて、前記第２熱交換器に付着した霜を取り除く除霜運転とを、前記切替機構を制御することにより切り替えて実行する運転制御部と、
前記流体回路を循環する流体の流量を計測する流量計測部と、
前記運転制御部が除霜運転を実行する際、前記流量計測部が計測した流量が予め設定された流量閾値より少ない場合には、前記ヒータを運転させて前記流体を加熱するヒータ制御部と
を備えることを特徴とする。
【発明の効果】
【０００６】
この発明に係るヒートポンプシステムでは、除霜運転時に、流体回路を循環する水等の流体の流量が少ない場合には、ヒータにより流体を加熱する。そのため、除霜運転時に、第１熱交換器内における流体の凍結を防止することができる。
【図面の簡単な説明】
【０００７】
【図１】実施の形態１に係るヒートポンプシステム１の構成図。
【図２】暖房運転時における冷媒及び水の流れを示す図。
【図３】除霜運転時における冷媒及び水の流れを示す図。
【図４】実施の形態１に係る除霜運転時におけるヒータ制御部２７の処理を示すフローチャート。
【図５】流量測定部２６が水回路２３を循環する水の流量Ｑを計測する処理を示すフローチャート。
【図６】実施の形態２に係る除霜運転時におけるヒータ制御部２７の処理を示すフローチャート。
【図７】実施の形態３に係る除霜運転時におけるヒータ制御部２７の処理を示すフローチャート。
【発明を実施するための形態】
【０００８】
実施の形態１．
図１は、実施の形態１に係るヒートポンプシステム１の構成図である。
ヒートポンプシステム１は、室内に設置される室内ユニット２と、室外に設置されるヒートポンプユニット３とを備える。また、ヒートポンプシステム１は、室内ユニット２と配管で接続された放熱器１１を備える。放熱器１１は、例えば、パネルヒータや床暖房パネル等である。
【０００９】
室内ユニット２は、ヒートポンプユニット３が備える熱交換器３３（第１熱交換器）と、ポンプ２１と、ヒータ２２と、放熱器１１とを順次配管で接続し、水（流体）が循環する水回路２３（流体回路）を備える。水回路２３には、ヒータ２２へ流入する水の温度を流入温度（ヒータ流入温度）として計測する温度センサ２４と、ヒータ２２から流出した水の温度を流出温度（ヒータ流出温度）として計測する温度センサ２５とが設けられている。
また、室内ユニット２は、マイコンなどにより構成される制御装置である流量測定部２６及びヒータ制御部２７を備える。流量測定部２６は、温度センサ２４が計測した流入温度と、温度センサ２５が計測した流出温度とから、水回路２３を循環する水の流量を計算により測定する。また、ヒータ制御部２７は、流量測定部２６が計測した流量等に基づき、ヒータ２２のオン／オフを制御する。
【００１０】
ヒートポンプユニット３は、圧縮機３１と、四方弁３２（切替機構）と、熱交換器３３と、膨張機構３４と、熱交換器３５（第２熱交換器）とを順次配管で接続し、冷媒が循環する冷媒回路３６を備える。冷媒回路３６には、熱交換器３５の近傍にファン３７が設けられる。なお、熱交換器３３は、例えば、多数のプレートが積層されて構成されるプレート式熱交換器である。
また、ヒートポンプユニット３は、マイコンなどにより構成される制御装置である運転制御部３８を備える。運転制御部３８は、四方弁３２を制御することにより、冷媒の循環方向を切り替えて、暖房運転と除霜運転とを切り替えて実行する。
【００１１】
図２は、暖房運転時における冷媒及び水の流れを示す図である。なお、図２において、実線の矢印が冷媒の流れを示し、破線の矢印が水の流れを示す。
暖房運転時には、四方弁３２が図１の実線の流路に設定される。したがって、圧縮機３１から吐出された高温高圧のガス冷媒が熱交換器３３へ流れる。熱交換器３３では、高温高圧のガス冷媒と水回路２３を循環する水とが熱交換される。その結果、水は加熱され、ガス冷媒は高圧の液冷媒になる。高圧の液冷媒は、膨張機構３４で膨張して低圧の液冷媒になり、熱交換器３５へ流れる。熱交換器３５では、低圧の液冷媒とファン３７により供給される外気とが熱交換される。その結果、低圧の液冷媒は低圧のガス冷媒となる。そして、低圧のガス冷媒は、再び圧縮機３１に吸入され、高温高圧のガス冷媒となり吐出される。
一方、熱交換器３３で加熱された水は、ポンプ２１によりヒータ２２を通って、放熱器１１へ流れる。放熱器１１において、水は室内空気へ放熱して冷却され、再び熱交換器３３へ流れる。なお、熱交換器３３で十分に水が加熱されていない場合には、ヒータ制御部２７によりヒータ２２がオンされ、所定の温度まで温水が加熱される。
【００１２】
暖房運転時に、熱交換器３５へ流れる液冷媒の温度が０℃以下であると、外気中の水分が凍結して霜として熱交換器３５に付着する。熱交換器３５に霜が付着すると、熱交換器３５の熱交換面積の減少等により熱交換効率が悪くなり、性能が低下してしまう。
そこで、運転制御部３８は、熱交換器３５に霜が付着したことを検知すると、四方弁３２を制御して、暖房運転から除霜運転に切り替える。なお、熱交換器３５に霜が付着したことを検知する方法はどのような方法であってもよい。
【００１３】
図３は、除霜運転時における冷媒及び水の流れを示す図である。なお、図３において、実線の矢印が冷媒の流れを示し、破線の矢印が水の流れを示す。
除霜運転時には、四方弁３２が図１の破線の流路に設定される。したがって、圧縮機３１から吐出された高温高圧のガス冷媒が熱交換器３５へ流れる。熱交換器３５では、高温高圧のガス冷媒とファン３７により供給される外気とが熱交換される。この際、高温高圧のガス冷媒により、熱交換器３５に付着した霜が溶かされ、霜が取り除かれる。熱交換器３５から流出した高圧の液冷媒は、膨張機構３４で膨張して低圧の液冷媒になり、熱交換器３３へ流れる。熱交換器３３では、低圧の液冷媒と水回路２３を循環する水とが熱交換される。その結果、低圧の液冷媒は低圧のガス冷媒となる。そして、低圧のガス冷媒は、再び圧縮機３１に吸入され、高温高圧のガス冷媒となり吐出される。
一方、熱交換器３３で冷却された水は、ポンプ２１によりヒータ２２を通って、放熱器１１へ流れ、再び熱交換器３３へ流れる。
【００１４】
除霜運転時に、熱交換器３３へ流れる液冷媒の温度が０℃以下であると、水回路２３を循環する水が、熱交換器３３内で凍結してしまう虞がある。熱交換器３３がプレート式熱交換器である場合等には、熱交換器３３内で水が凍結すると、凍結による水の体積膨張により熱交換器３３が破損する虞がある。
水回路２３を循環する水が、熱交換器３３内で凍結してしまうのは、水回路２３を循環する水の流量が所定の量（以下の流量閾値Ｑｔ）以下であり、かつ、熱交換器３３へ流入する水の温度が所定の温度以下の場合である。そこで、以下のように、ヒータ制御部２７は、除霜運転時に水回路２３を循環する水の流量に応じてヒータ２２を制御することにより、熱交換器３３内で水が凍結することを防止する。
【００１５】
図４は、実施の形態１に係る除霜運転時におけるヒータ制御部２７の処理を示すフローチャートである。なお、ヒータ制御部２７は、暖房運転から除霜運転に切り替えたことを示す霜取開始信号を運転制御部３８から受信すると、図４に示す動作を開始する。
【００１６】
ヒータ制御部２７は、流量測定部２６により測定される、水回路２３を循環する水の流量Ｑが、予め設定された流量閾値Ｑｔより少ないか否かを判定する（Ｓ１１）。なお、流量閾値Ｑｔは、熱交換器３３で冷媒が水から奪う熱量に応じて設定されるものであり、ヒートポンプユニット３の能力によって決定されるものである。したがって、流量閾値Ｑｔは、ヒートポンプユニット３の出荷時等にヒートポンプユニット３の能力に応じた値が設定されている。
【００１７】
ヒータ制御部２７は、流量Ｑが流量閾値Ｑｔより少ない場合（Ｓ１１でＹＥＳ）、ヒータ制御部２７はヒータ２２をオンして、水を加熱する（Ｓ１２）。これにより、熱交換器３３へ流入する水の温度が高くなり、熱交換器３３内で水が凍結することを防止できる。そして、ヒータ制御部２７は、除霜運転から暖房運転に切り替えたことを示す霜取終了信号を運転制御部３８から受信すると（Ｓ１３）、ヒータ２２をオフして（Ｓ１４）、処理を終了する。
一方、ヒータ制御部２７は、流量Ｑが流量閾値Ｑｔ以上の場合（Ｓ１１でＮＯ）、処理を終了する。
【００１８】
図５は、流量測定部２６が水回路２３を循環する水の流量Ｑを計測する処理を示すフローチャートである。なお、流量測定部２６は、暖房運転時にヒータ制御部２７によりヒータ２２がオンされ、ヒータ２２が運転を開始すると動作を開始する。
【００１９】
流量測定部２６は、所定の時間毎に、温度センサ２４が計測した流入温度と、温度センサ２５が計測した流出温度とを比較し、流入温度と流出温度との温度差の変化が一定以下か否かを判定する（Ｓ２１）。例えば、流量測定部２６は、以下の式（１）を満たすか否かを判定することにより、温度差の変化が一定以下か否かを判定する。
＜式（１）＞
｜ΔＴｗ，ｎ＋１−ΔＴｗ，ｎ｜＜δ
ここで、ΔＴｗは、温度差Ｔｗｏ−Ｔｗｉである。Ｔｗｏは流出温度であり、Ｔｗｉは流入温度である。添え字ｎ＋１は最新の温度計測時刻であり、添え字ｎは最新時刻の温度計測時刻の所定時間前の時刻である。δは、予め設定された値である。
【００２０】
温度差の変化が一定以下の場合（Ｓ２１でＹＥＳ）、流量測定部２６は、最新の温度計測時刻における温度差ΔＴｗと、最新の温度計測時刻におけるヒータ２２の消費電力値ｑｈと、水の熱容量Ｍとを用いて、式（２）に基づき、循環する水の流量Ｑを計算する（Ｓ２２）。
＜式（２）＞
Ｑ＝ｑｈ／（Ｍ・ΔＴｗ）
一方、温度差の変化が一定以上の場合（Ｓ２１でＮＯ）、所定時間後に再びＳ２１の判定を実施する。
【００２１】
Ｓ２２で計算された流量Ｑはメモリ等に記憶される。そして、Ｓ１１でヒータ制御部２７は、メモリに記憶された最新の流量Ｑを読み出し、流量Ｑが流量閾値Ｑｔより少ないか否か判定する。
【００２２】
以上のように、実施の形態１に係るヒートポンプシステム１では、除霜運転時に、水回路２３を循環する水の流量に応じて、ヒータ２２のオン／オフの制御をする。これにより、熱交換器３３内で水が凍結することを防止できる。また、除霜運転時におけるヒータ２２の運転時間を適切に制御でき、省エネルギー化することができる。
【００２３】
また、実施の形態１に係るヒートポンプシステム１では、水回路２３を循環する水の流量を、流量センサを用いることなく、ヒータ２２の出入口の水の温度から計算している。そのため、流量センサを設けるコストや、流量センサの故障等に伴うメンテナンスの手間や、流量センサの設置スペース等を低減することができる。
なお、ポンプ２１は定速ポンプである場合、原則として流量Ｑはほとんど変化しない。したがって、Ｓ１１の判定時点における流量Ｑを計測しなくても、メモリに記憶された最新の流量Ｑを用いてＳ１１の判定を行えば十分である。しかし、例えば、放熱器１１として複数のパネルヒータが設けられている場合に、季節の移り変わりに応じてパネルヒータの弁を開閉制御された場合には、流量Ｑが大きく変化してしまう。そのため、できるだけ直近の流量Ｑを用いてＳ１１の判定を行うことが望ましい。
また、ポンプ２１としてインバータポンプ等の可変ポンプを用いた場合、ポンプ２１の制御に応じて流量Ｑが変化する。そのため、できるだけ直近の流量Ｑを用いてＳ１１の判定を行うことが望ましい。
もちろん、計算により流量Ｑを計測する代わりに、水回路２３に流量センサを設けて、Ｓ１１の判定時点における流量Ｑを計測するようにしてもよい。
【００２４】
実施の形態２．
実施の形態２では、流量Ｑだけでなく、循環する水の温度も用いて、ヒータ２２を制御する方法について説明する。
なお、実施の形態２に係るヒートポンプシステム１について、実施の形態１に係るヒートポンプシステム１と異なる部分を説明する。
【００２５】
図６は、実施の形態２に係る除霜運転時におけるヒータ制御部２７の処理を示すフローチャートである。なお、ヒータ制御部２７は、暖房運転から除霜運転に切り替えたことを示す霜取開始信号を運転制御部３８から受信すると、図６に示す動作を開始する。
【００２６】
ヒータ制御部２７は、水回路２３を循環する水の流量Ｑが、予め設定された流量閾値Ｑｔより少ないか否かと、温度センサ２５が計測した流出温度Ｔｗｏが予め設定された温度閾値Ｔｗｔより低いか否かとを判定する（Ｓ３１）。なお、流量閾値Ｑｔと流出温度Ｔｗｏとは、熱交換器３３で冷媒が水から奪う熱量に応じて設定されるものであり、ヒートポンプユニット３の能力によって決定されるものである。したがって、流量閾値Ｑｔと流出温度Ｔｗｏとは、ヒートポンプユニット３の出荷時等にヒートポンプユニット３の能力に応じた値が設定されている。
【００２７】
ヒータ制御部２７は、流量Ｑが流量閾値Ｑｔより少なく、かつ、流出温度Ｔｗｏが温度閾値Ｔｗｔより低い場合（Ｓ３１でＹＥＳ）、ヒータ制御部２７はヒータ２２をオンして、水を加熱する（Ｓ３２）。これにより、熱交換器３３へ流入する水の温度が高くなり、熱交換器３３内で水が凍結することを防止できる。そして、ヒータ制御部２７は、除霜運転から暖房運転に切り替えたことを示す霜取終了信号を運転制御部３８から受信すると（Ｓ３３）、ヒータ２２をオフして（Ｓ３４）、処理を終了する。
一方、ヒータ制御部２７は、流量Ｑが流量閾値Ｑｔ以上の場合と、流出温度Ｔｗｏが温度閾値Ｔｗｔ以上の場合とのいずれかの場合（Ｓ３１でＮＯ）、処理を終了する。
【００２８】
以上のように、実施の形態２に係るヒートポンプシステム１では、除霜運転時に、水回路２３を循環する水の流量だけでなく、水回路２３を循環する水の温度に応じて、ヒータ２２のオン／オフの制御をする。これにより、実施の形態１に係るヒートポンプシステム１よりも、除霜運転時におけるヒータ２２の運転時間を適切に制御でき、省エネルギー化することができる。
【００２９】
なお、上記説明では、流出温度ＴｗｏをＳ３１の判定で使用した。しかし、例えば、熱交換器３３へ流入する水の温度を熱交換器流入温度として計測する温度センサを設け、熱交換器流入温度をＳ３１の判定で使用してもよい。
【００３０】
実施の形態３．
実施の形態１，２では、除霜運転時に一旦ヒータ２２をオンすると、除霜運転が終了するまでヒータ２２をオンしたままであった。実施の形態３では、除霜運転時に所定の時間毎にヒータ２２のオン／オフ制御を行う方法について説明する。
なお、実施の形態３に係るヒートポンプシステム１について、実施の形態２に係るヒートポンプシステム１と異なる部分を説明する。
【００３１】
図７は、実施の形態３に係る除霜運転時におけるヒータ制御部２７の処理を示すフローチャートである。なお、ヒータ制御部２７は、暖房運転から除霜運転に切り替えたことを示す霜取開始信号を運転制御部３８から受信すると、図７に示す動作を開始する。
【００３２】
ヒータ制御部２７は、水回路２３を循環する水の流量Ｑが、予め設定された流量閾値Ｑｔより少ないか否かと、温度センサ２５が計測した流出温度Ｔｗｏが予め設定された温度閾値Ｔｗｔより低いか否かとを判定する（Ｓ４１）。
【００３３】
ヒータ制御部２７は、流量Ｑが流量閾値Ｑｔより少なく、かつ、流出温度Ｔｗｏが温度閾値Ｔｗｔより低い場合（Ｓ４１でＹＥＳ）、ヒータ制御部２７はヒータ２２をオンして、水を加熱する（Ｓ４２）。これにより、熱交換器３３へ流入する水の温度が高くなり、熱交換器３３内で水が凍結することを防止できる。
そして、ヒータ制御部２７は、除霜運転から暖房運転に切り替えたことを示す霜取終了信号を運転制御部３８から受信したか否かを判定する（Ｓ４３）。ヒータ制御部２７は、霜取終了信号を受信した場合（Ｓ４３でＹＥＳ）、ヒータ２２をオフして（Ｓ４４）、処理を終了する。一方、ヒータ制御部２７は、霜取終了信号を受信していない場合（Ｓ４３でＮＯ）、処理をＳ４１に戻し、所定の時間後に再び流量Ｑと流出温度Ｔｗｏとについての判定を行う。
【００３４】
一方、ヒータ制御部２７は、流量Ｑが流量閾値Ｑｔ以上の場合と、流出温度Ｔｗｏが温度閾値Ｔｗｔ以上の場合とのいずれかの場合（Ｓ４１でＮＯ）、ヒータ２２をオフする（Ｓ４５）。
そして、ヒータ制御部２７は、除霜運転から暖房運転に切り替えたことを示す霜取終了信号を運転制御部３８から受信したか否かを判定する（Ｓ４６）。ヒータ制御部２７は、霜取終了信号を受信した場合（Ｓ４６でＹＥＳ）、処理を終了する。一方、ヒータ制御部２７は、霜取終了信号を受信していない場合（Ｓ４６でＮＯ）、処理をＳ４１に戻し、所定の時間後に再び流量Ｑと流出温度Ｔｗｏとについての判定を行う。
【００３５】
以上のように、実施の形態３に係るヒートポンプシステム１では、除霜運転時に、所定の時間毎にヒータ２２のオン／オフの制御をする。これにより、実施の形態１，２に係るヒートポンプシステム１よりも、除霜運転時におけるヒータ２２の運転時間を適切に制御でき、省エネルギー化することができる。
【００３６】
なお、上記説明では、ヒートポンプシステム１がヒートポンプ式の暖房システムであるとした。しかし、ヒートポンプシステム１としては、暖房システムに限らず、ヒートポンプ式の給湯システムや、ヒートポンプ式の暖房給湯システムであってもよい。
ヒートポンプシステム１がヒートポンプ式の給湯システムである場合には、上述したヒートポンプシステム１における放熱器１１を給湯タンク内の水へ放熱する放熱器とすればよい。また、ヒートポンプシステム１がヒートポンプ式の暖房給湯システムである場合には、上述したヒートポンプシステム１における水回路２３を、熱交換器３３と温度センサ２４の間から分岐させて、給湯タンク内の水へ放熱する放熱器を接続すればよい。
【００３７】
また、上記説明では、熱交換器３３で冷媒によって加熱される流体が水であるとした。しかし、熱交換器３３で冷媒によって加熱される流体は、水に限らず、除霜運転時に凍結する虞のある流体であれば他の流体でも構わない。
【符号の説明】
【００３８】
１  ヒートポンプシステム、２  室内ユニット、３  ヒートポンプユニット、１１  放熱器、２１  ポンプ、２２  ヒータ、２３  水回路、２４，２５  温度センサ、２６  流量測定部、２７  ヒータ制御部、３１  圧縮機、３２  四方弁、３３  熱交換器、３４  膨張機構、３５  熱交換器、３６  冷媒回路、３７  ファン、３８  運転制御部。
【図１】
0005501279.tif 000002
【図２】
0005501279.tif 000003
【図３】
0005501279.tif 000004
【図４】
0005501279.tif 000005
【図５】
0005501279.tif 000006
【図６】
0005501279.tif 000007
【図７】
0005501279.tif 000008